(57)【特許請求の範囲】
【請求項１】
少なくとも側板と、これに略水平に取り付ける踏み板と、前記側板と前記踏み板の連結に用いられるくさびと、くさび後方止めとからなる階段であって、
前記側板と踏み板とは、寸法安定木材からなり、
前記側板は、前記踏み板と、前記くさびと、前記くさび後方止めとを嵌入できる凹部穴を有し、
前記くさびは断面形状が扁平な略三角形状となっており、前記側板には該くさびの前記側板への打ち込みをガイドするくさび挿入ガイドが設けられ、
前記くさび及び前記くさび後方止めは、吸着剤、吸湿剤、水分移動防止剤のいずれかを含有する湿潤膨張性多孔体であることを特徴とする寸法精度安定階段。
【請求項２】
寸法安定木材は、木材繊維が多方向に配列された集成材の小木片積層接合材、ホルマール化木材、樹脂等の注入・強化木材、挽材を含むランバー合板のいずれか又はこれらの組み合せ木材であることを特徴する請求項１に記載の寸法精度安定階段。
【請求項３】
集成材又はランバー合板は、建築廃材から選別された広葉樹堅牢木材を含むことを特徴とする請求項２に記載の寸法精度安定階段。
【発明の詳細な説明】
【０００１】
【産業上の利用分野】
本発明は、寸法変化が少なく寸法安定性に優れ、かつ側板、踏み板、蹴込み板及び側板の反りやねじれの発生が少ない寸法精度安定階段に関するものである。
【０００２】
【従来の技術】
従来の階段９としては、図１３に示すごとく、側板９１に略平行に取り付けられた踏み板９２と、この踏み板９２に略垂直に取り付けられた蹴込み板９３とからなる箱階段が知られている。
【０００３】
一方、図１４に示すごとく、側板９１に略水平に取り付けられた踏み板９２と、この踏み板９２の裏面側に取り付けられた底板９４とからなる側桁階段が知られている。
なお、この側桁階段の最下段には、踏み板９２に略垂直に取り付けられた蹴込み板９３を有するものもある。
【０００４】
そして、これらの階段９には、図１５に示すごとく、踊り場９５を有する「かね折れ階段」（イ）、「回り階段」（ロ）、「直通階段」（ハ）、「折返し階段」（ニ）などがある。
なお、前記踏み板９２は、図１６に示すごとく、側板９１の内側に刻設された凹部穴９０に後方より踏み板９２を嵌合して、くさび９７を用いて固定される。
【０００５】
一方、側桁階段としては、図１７に示すごとく、側板９１の片側に踏み板９２に突出した側端部９２１を有するものがある。なお、この側桁階段は、踏み板９２に嵌合凹部９２０を有し、これを側板９１に設けた水平凹部９１０に嵌入した接合部８を有するものがある。
【０００６】
ところで、近年、木材の再利用の観点から端尺木片を有効活用した集成材９６（図１８、図１９参照）が知られている。なお、集成材９６は、階段９以外にも収納家具やカウンターなどの箱物、更には木造家屋の柱や鴨居などの構造材として多用されている。
【０００７】
前記従来の階段９としては、特許文献１には、「現場での踏み板９２と蹴込み板９３の組付けを容易にすべく、マーキング溝を設けた側板９１」が提案されている。
そして、特許文献２には、「階段の中間踊り場９５の支持構造とその施工方法」が提案されている。
【０００８】
一方、本出願人は、先に特許文献３により、「木材繊維が多方向に配列された集成材の小木片積層接合材を使用した踊り場部材に関する特許出願」を提案している。これは、本発明と同様に従来の集成材９５とは異なり、異方向性の木材繊維５１（図４、図５、図６参照）からなる集成材５やその挽材を含むランバー合板を使用することを特徴とするものである。
【０００９】
また、特許文献４には、「木材繊維と平行に切断して小板片、小角片の素材を得て、これら素材を木材繊維と平行するよう多数接合する建築用の集成材」が提案されている。
そして、特許文献５には、「木材が所定強度を有しているか否かを測定し、節、割れ、腐れ等の欠陥を検出してこれらの不良木材部分を切断除去する集成材の製造方法および装置」が提案されている。
【００１０】
他方、特許文献６には、「複数の木材をその木材繊維と平行して接着してなる集成材と、この集成材に沿って形成された溝に鋼材を嵌め込み接着した鋼補剛集成材」が提案されている。
【００１１】
【特許文献１】
特開２００１−３２４７９号公報
【特許文献２】
特開平７−１４５６５７号公報
【特許文献３】
特願２００２−２５８０３３号公報
【特許文献４】
特開平９−１２３１２７号公報
【特許文献５】
特開平９−１２３１０８号公報
【特許文献６】
特開平１０−１４６８５３号公報
【００１２】
【発明が解決しようとする課題】
しかしながら、特許文献１の発明によれば、踏み板９２と蹴込み板９３の組付けを容易にすべく、マーキング溝を設けた側板９１が提案されているに過ぎない。
また、特許文献２の発明によれば、中間踊場９５の支持構造とその施工方法が提案されているに過ぎず、本発明や特許文献３の発明のごとく、異方性の木材繊維を使用した踊場部材を有する階段を提供するものではない。
【００１３】
一方特許文献３の発明によれば、湿潤膨張性多孔体のくさびを使用する側板１０については提案しているが、更に、このくさびを側板１０に確実にしかも強固に装着させるための、くさび後方止め７については提案されていない。
【００１４】
他方、特許文献４の発明によれば、従来の集成材９５は、木材繊維が同一方向か平行方向であるため、寸法変化が本発明において使用されている集成材５（図４〜図６）とは異なり、本発明で使用する集成材５に比較して、寸法変化が大きく寸法安定性や強度などに問題を生じる。そのため、従来の集成材９５からなる踏み板９２は、力桁３よりも１２ｍｍ以上突出しないように使用されている。踏み板９２が１２０ｍｍ以上、突出すると破損部を生じるからである（図２参照）。
そのため、図１８〜図２０に示すごとく、木材繊維９６により破損部９６０を生じることになる。それ故、特許文献６に示すごとく、鋼材を用いて従来の集成材９５を補強せざるを得ないものと推察される。
【００１５】
されに付言すれば、特許文献５に示されているごとく、従来の集成材９５においては、節や割れ等の不良木材部分を検出して切断除去する手段が提案されているに過ぎない。
それ故、本発明において使用されている集成材５のごとく、例えば建築廃材から選別された広葉樹堅牢木材を有効利用するものとは明らかに異なっている。
【００１６】
そこで、本発明は従来の前記問題点に鑑みてなされたものであり、本発明が解決しようとする課題は、構造上強固で寸法変化が少なく寸法安定性に優れ、かつ反りやねじれが発生しない寸法精度安定階段を提供しようとするものである。
【００１７】
【課題を解決するための手段】
上記問題点を解決するため、本発明が採った手段は下記の通りである。なお、本発明を更に具体的に説明するため、実施例において使用する図面の符号を付して、以下は説明する。
【００１８】
まず請求項１に記載の発明が採った手段は、少なくとも側板１０と、これに略水平に取り付ける踏み板２と、これらを支持する力桁３および又は底板３０とからなる階段であって、
前記側板１０と踏み板２とは、寸法安定木材からなることを特徴とする寸法精度安定階段１を提供するもである。
これにより、図２に示すごとく、踏み板２及び蹴込み板４が（ホ）と（ヘ）の略同一線上の面一の階段において、寸法変化が少なく、寸法安定性に優れ、かつ反りやねじれが少なく、高強度で耐久性に優れた寸法精度安定階段１を得ることが出来る。なお、反りやねじれの有無は、矢高を測定することにより判定する。
【００１９】
次に、請求項２に記載の発明が採った手段は、前記寸法安定木材は木材繊維５１が多方向に配列された集成材５の小木片積層接合材５２、ホルマール化木材、樹脂等の注入・強化木材、挽材を含むランバー合板のいずれか又はこれらの組み合せ木材であることを特徴とする寸法精度安定階段１を提供するものである。なお、前記集成材５は、図６に示すごとく、その表面に化粧張り部材５５を有することが、より好ましい。
これにより、前記側板１０と踏み板２との接合部８において、ランバー合板による側板１０や踏み板２の伸縮や隙き間や歪みを生じることがなく、遮音性や吸音性に優れた寸法精度安定階段１を得ることが出来るからである。
しかも、隙き間や歪みが生じると音の伝導や反響が生じて、遮音性や吸音性が低下することになるからであるとも考えられる。また、化粧部材５５を有する集成材５を使用することにより、集成材５の表面より水分が芯部に侵入することが少なくなる。
【００２０】
そして、請求項３に記載の発明が採った手段は、前記集成材５又はランバー合板は、建築廃材から選別された広葉樹堅牢木材を含むことを特徴とする寸法精度安定階段１を提供するものである。
これにより、現時点では余り積極的にリサイクル利用されていない木造建築物の廃材を有効に利用し、資源の循環利用を図ることが出来る。なお、上記廃材は、特にブナ、ケヤキ等の広葉樹堅牢木材であることが好ましい。それは、スギやヒノキ等の針葉樹木材よりも強度や硬度が優れているからである。
【００２１】
請求項１に記載の発明が併せて採った手段は、前記側板１０は踏み板２と、くさび６と、くさび後方止め７とを嵌入できる凹部穴１０１、１０２、１０３を有することを特徴とする寸法精度安定階段１を提供するものである。
これにより、前記くさび６は、その後方において、くさび後方止め７により確実に固定されることになる。
【００２２】
請求項１に記載の発明が併せて採った手段は、前記くさび６及び又はくさび後方止め７が、吸着剤、吸湿剤、水分移動防止剤のいずれかを含有する湿潤膨張性多孔体であることを特徴とする寸法精度安定階段１を提供するものである。
これにより、上記くさび６および又はくさび後方止め７は、空気中の水分（湿分）を吸収することにより、その体積が膨張して踏み板２及びくさび６等を側板１０の凹部穴１００等に密着させると共に、強固に相互を固定することが出来る。
【００２３】
そして、他の発明が採った手段は、前記階段は少なくとも側板１０と踏み板２と該踏み板２に略垂直に取付ける蹴込み板４と、これらを支持する力桁３および又は底板３０とからなり、前記側板１０は、踏み板２と、蹴込み板４と、くさび６とくさび後方止め７とを嵌入出来る凹部穴１０１、１０２、１０３を有することを特徴とする寸法精度安定階段１を提供するものである。
【００２４】
これにより、図１０に示すごとく、踏み板２の両端部で、蹴込み板４よりも水平方向に突出した踏み板突出部２１１を有する階段において、寸法変化が少なく、寸法安定性に優れ、かつ反りやねじれが少なく、高強度で耐久性に優れた寸法精度安定階段１を得ることが出来る。
【００２５】
次に、他の発明が採った手段は、前記凹部穴１０１、１０２、１０３は、木材繊維５１が多方向に配列された集成材５の小木片積層接合材５２、ホルマール化木材、樹脂等の注入・強化木材、挽材を含むランバー合板のいずれか又はこれらの組み合せ木材であることを特徴とする寸法精度安定階段１を提供するものである。
これにより、前記側板１０と、踏み板２と、蹴込み板４との接合部８において、寸法変化による側板１０、踏み板２、蹴込み板４の伸縮や隙き間や歪みを生じることがなく、遮音性や吸音性に優れた寸法精度安定階段１を得ることが出来る。
【００２６】
そして、他の発明が採った手段は、前記集成材５又はランバー合板は建築廃材から選別された広葉樹堅牢木材を含むことを特徴とする寸法精度安定階段１を提供するものである。
これにより、現時点では余り積極的にリサイクル利用されていない木造構造建築物の廃材を有効利用し、資源の循環利用を図ることが出来る。なお、上記廃材は、特にブナ、ケヤキ等の広葉樹堅牢木材であることが好ましい。それは、スギやヒノキ等の針葉樹木材よりも強度や硬度が優れているからである。
【００２７】
他の発明が採った手段は、前記側板１０は踏み板２と、嵌入６と、くさび後方止め７と蹴込み板４とを嵌入出来る凹部穴１０１、１０２、１０３、１０４を有することを特徴とする寸法精度安定階段１を提供するものである。
これにより、前記くさび６は、その後方において、くさび後方止め７により確実に固定されることが出来る。
【００２８】
他の発明が採った手段は、前記くさび６および又はくさび後方止め７が、吸着剤、吸湿剤、水分移動防止剤のいずれかを含有する湿潤膨張性多孔体であることを特徴とする寸法精度安定階段１を提供するものである。
これにより、上記くさび及び又はくさび後方止め７は、空気中の水分（湿分）を吸収することにより体積が膨張して踏み板２、蹴込み板４、くさび６、くさび後方止め７を側板１０に密着させると共に、強固に相互を固定することが出来る。
【００２９】
【実施の形態】
本発明の実施の形態を実施例および図面に基づいて、図面の符号を用いて具体的に説明する。
請求項１に記載の発明によれば、前記側板１０と踏み板２又は側板１０、踏み板２、蹴込み板４は寸法安定木材からなる寸法精度安定階段１を提供するものである。
【００３０】
前記寸法安定木材としては、例えば図４〜図６に示すごとく、木材繊維５１が多方向に配列された集成材５の小木片積層接合材であって、建築廃材から選別された樹種、大きさ、経過年数別の木材より、特に広葉樹木を更に選別して一定の大きさの矩形の挽材を作成し、これらを積層し、接合した集成材５（図４、図５参照）を更にその表面に化粧部材５５で被覆した集成材５（図６参照）を使用することが好ましい。
【００３１】
これにより前記木材繊維５１が多方向に配列された集成材が得られ、更に当該集成材５の表面が化粧部材５５により被覆されているため、集成材５の表面より芯部へ空気中の水分が浸透し移動することがなくなる。
そのため、集成材５の内部において、水分や熱が移動することが著しく減少し、寸法変化が小さくなり結果として本発明が向上し、反りやねじれを発生しない集成材５が得られることになる。
【００３２】
これに対し、従来の集成材９５は、前記特許文献４に開示されているごとく、木材繊維が略同一方向で、しかも繊維相互が平行であるため、木材繊維の伸縮に応じて寸法変化が大きくなる。その結果、集成材９５は反りやねじれを生じたり、図１８〜図２０に示すごとく、接合部において破損し易くなる。
【００３３】
なお、前記木材繊維５１は、一般に木目が平行で年輪に直角方向に切断した柾目や板目に平行して存在する樹木の成長方向であり、一般に長い束を形成していると考えられている。
そのため、本発明において使用される集成材５は、木材繊維５１が多方向に配列され一方向のみに伸縮されることがないものと考えられる。
【００３４】
ここで注目すべきことは、本発明で使用する集成材５は、木材繊維５１が相互に交叉するよう配列され、一定の方向に配向することがない異方向性の木材繊維５１を有することである（図４〜図６参照）。
また、集成材５が、例えばアピトン、ミズナラ、ブナ、ケヤキ、カバ、シオジ、タモ、ニレ等の広葉樹木からなる場合においては、針葉樹木に比較して組織が緻密で、強度や硬度が平均して２〜３割位優れることになる。
【００３５】
前記化粧部材５５としては、例えば突板、塩化ビニルシート、ウレタン樹脂塗膜、ラワン薄板等がある。
また、前記本発明からなる小木片積層接合材５２としては、例えば板厚さが１５〜２５ｍｍで、タテ３０〜１００ｍｍ、ヨコ１５〜５０ｍｍ位の矩形のものであることが好ましい。
これにより前記集成材５は、含水率が１５〜３０％の小木片積層接合材５２になるよう乾燥しておくことにより、使用中においても２０〜４０％の含水率を保つことが可能となる。
【００３６】
また、前記寸法安定木材としては、例えばホルマール化木材、樹脂等の注入・強化木材、挽材を含むランバー合板のいずれか又はこれらの組み合せ木材であることが好ましい。
上記ホルマール化木材としては、その木材繊維５１の水酸基架橋結合の一部がホルムアルデヒドによりホルマール化されているため、木材繊維中の親水基の減少に伴い、木材繊維５１中の含水率もこれに相応して減少し、その結果寸法変化が小さくなり、前記集成材５と同様に、寸法安定性が優れ、反りやねじれが少なくなるものと考えられる。
【００３７】
前記寸法変化としては、前記集成材５と同様に、異方向性の木材繊維５１を有する本発明を芯材としており、その他添え心板、表板、裏板等に本発明又はラワン等の単板が用いられているものがある。そのため、各種の合板の中でも特に寸法変化が小さく寸法安定性に優れ、反りやねじれが少ないものと考えられる。
【００３８】
前記樹脂等の注入・強化木材としては、例えば良く乾燥した木材に溶融のパラフィンを加熱しながら注入したもの、或いは乾燥した木材中にフェノール樹脂を加熱しながら注入したもの、又はこれらのものを圧密化木材とした硬化木材などがある。
前記硬化木材は寸法安定性に優れるほか、強度や電気的性質も改善され、木材繊維５１を直交ないしは木材繊維５１を多方向に配列したものが寸法安定性が優れ、反りやねじれが少なくなる。
【００３９】
前記くさび６および又はくさび後方止め７としては、例えば吸着剤、吸湿剤、水分移動防止剤のいずれかを含有する湿潤膨張性多孔体であることが好ましい。ここで湿潤膨張性多孔体とは、水分を吸収して膨張する多孔体のことである。
上記吸着剤としては、例えば活性白土、活性炭、ゼオライト、ベントナイト等の微粉を用いることが出来る。なお、多孔体としては、例えば竹材片、針葉樹木片、合成樹脂発泡体等の合成木材片等がある。
また、上記吸湿剤としては、例えば塩化カルシウム、塩化マグネシウム、マグネシア（苦土）等の微粉末を用いることが出来る。
そして、上記水分移動防止剤としては、例えばポリメチレンポリフェニルポリイソシアネート、重炭酸ソーダ等を用いることが出来る。
【００４０】
前記吸着剤は、特にゼオライトやベントナイト等の粘土鉱物の微粉末を使用した場合には、冬期などにおいて空気中の水分（湿度）が少なくなり乾燥した状態においても一旦吸着された水分は容易に遊離することがなく、膨潤したくさび６やくさび後方止め７は容易に元の状態に戻ることなく、膨潤状態が長期に保持される。これは、粘土鉱物の結晶水として空気中の水分が取り込まれるものと考えられるからである。
【００４１】
前記くさび６および又はくさび後方止めとしては、例えば竹材、針葉樹木材、プラスチック発泡体（合成木材の一種）などを使用することが出来る。これらの素材は、多孔質体で、前記吸着剤、吸湿剤、水分移動防止剤を多量に含浸し含有量する特性を有するものだからである。そして、前記くさび後方止めは、図１、図８、図１１、図１２に示すごとく、くさび６の後方より当該くさび６を強固に固定するものである。これは、従来のくさび９７は吸着剤、吸湿剤、水分移動防止剤で処理されておらず、当該くさび９７は多数の釘を使用して固定するものであり、その作用効果や施工性の点において本発明のものとは顕しく差異がある（図１６参照）。
【００４２】
本発明においては、階段としては、例えば図２に示すごとく、踏み板２と蹴込み板４とを側板１０に取付ける、いわゆる面一階段（実施例１）と、例えば図１０に示すごとく、踏み板２のみが水平方向の端部２１０において踏み板突出部２１１を有する階段（実施例２）と、一端部２１０のみにおいて踏み板突出部２１１を有する階段とがある。そして、これらの階段においては、特に踏み板２と蹴込み板４とを支える力桁３および又は底板３０（図示略）とにより構成される。
【００４３】
以上の説明のように、本発明は特許文献１〜６に記載された発明と異なり、まず側板１０、踏み板２或いは蹴込み板４に寸法安定木材を使用し、かつ側板１０と踏み板２と蹴込み板４の接合部８は凹部穴１０１、１０２、１０３及びくさび６、くさび後方止め７を介して強固な接合部８が形成される。
これにより側板１０、踏み板２、蹴込み板４の寸法変化は小さくなり寸法安定性や強度に優れると共に、反りやねじれを生じることがなくなる。また、くさび６やくさび後方止め７には、吸着剤等が含有されるため、湿潤膨張性多孔体を形成し側板１０、踏み板２、蹴込み板４を強固に接合することが出来る。したがって、これらの接合部８においては、寸法安定性が優れ、反りやねじれ及び隙き間や歪み等の欠陥を生じることがない。
【００４４】
以下、本発明の好ましい実施例について、図面を用いて具体的に説明する。（実施例１）
本例の寸法精度安定階段１は、図１〜図３に示すごとく、少なくとも側板１０と、これに略水平に取付ける踏み板２と、これらを支持する力桁および又は底板（図示略）とからなる階段である。
そして、前記側板１０と踏み板２と蹴込み板４は、図４〜図６に示すごとく、木材繊維５１が多方向に配列された集成材５の多方向に配列５２からなる集成材５により構成される。なお、踏み板２は、図７に示すごとく、その裏面２１において、断面形状が扁平な略三角形又は略Ｕ字状の長さがｌのくさび挿入ガイド２０を有する。
【００４５】
前記集成材５は、図５及び図６に示すごとく、例えば木材繊維５１が多方向に配列された挽材の短形木片をレゾルシノール・フェノール樹脂を使用して冷圧プレスにより積層接合したものである。
そして、図６に示すごとく、上記集成材５は、その表面に階段化粧部材５５として突板を貼着し、更にその表面ウレタン樹脂塗料を塗布した化粧張り集成材５０を特に本例の寸法精度安定階段１を製造する。
【００４６】
次に、くさび６としては、図１の下方に示すごとく、板厚さが最小３ｍｍから最大８ｍｍの断面形状が扁平な略三角形状を呈する四辺形の湿潤膨張性多孔体を使用する。ここで、湿潤膨張性多孔体としては、ゼオライトやベントナイト等の吸着剤を竹材の多孔体に注入圧入したものを使用する。一方、ウレタン樹脂発泡体からなる合成木材に水分移動防止剤としての前記ポリイソシアネートを含浸した湿潤膨張性多孔体も作成する。
そして、本例の寸法精度安定階段１には、上記２種類の湿潤膨張性多孔体を、図１の下方に示すごとく、断面形状が略三角形状を呈するくさび６と、断面形状が略正方形で１辺が約８ｍｍのくさび後方止め７を併用する。
【００４７】
一方、側板１０は、図１に示すごとく、踏み板２の嵌入用凹部穴１０１と、これと略直交する蹴込み板４の嵌入用凹部穴１０２と、嵌入６の嵌入用凹部穴１０３と、くさび後方止め７の嵌入用凹部穴１０４とからなる凹部穴１００を有する。凹部穴１００の深さは約１０ｍｍである。
そして、側板１０は、図３に示すごとく、凹部穴１００が階段状に多数連設された略平行四辺形状の集成材５からなる階段用部材を形成する。
【００４８】
このようにして構成した側板１０及びこれは刻設した凹部穴１００、踏み板２、くさび６及びくさび後方止め７は、次のようにして組み立てられる。
図１に示すごとく、まず踏み板２の嵌入用凹部穴１０１には踏み板２端部挿入部２１１（図２）を嵌入する。次に、蹴込み板４の嵌入用凹部穴１０１には踏み板２端部挿入部２１１（図２）を嵌入する。次に、蹴込み板４の嵌入用凹部穴１０２には、蹴込み板４の端部挿入部を嵌入する。
なお、上記踏み板２の嵌入用凹部穴１０１と蹴込み板４の嵌入用凹部穴１０２は、その深さが約１０ｍｍであるため、踏み板２の端部挿入部２１１及び蹴込み板４の端部挿入部は、凹部穴１００内において、それぞれ約１０ｍｍ位を嵌入できた。なお、前記踏み板２と蹴込み板４とは、予め嵌合穴１０５，１０６を介して接合しておくことも出来る。
【００４９】
そして、図８に示すごとく、踏み板２の裏面側においては、まずくさび６を（ト）の方向より前方（矢印方向）に向けて打設するように前進させる。その後、蹴込み板４を同様にして次に、くさび６を（チ）の方向より右方向又は左方向（矢印方向）に向けて、それぞれ水平移動させる。
その後、凹部穴１００内において、嵌入６を前進させた後、くさび後方止め７を（リ）の方向より右方向又は左方向（矢印方向）に向けて、それぞれ水平移動させて、前記踏み板２の後方において、踏み板２を強固に固定するよう打設する。
【００５０】
そして、最後に、上記凹部穴１００内に嵌入した踏み板２、蹴込み板４、くさび６及びくさび後方止め７に隣接するよう力桁３および又は底板３０を配設する。ここで、まず底板３０を凹部穴１００に隣接するよう仮設しておき、その後底板３０を配設した後、力桁３を配設する。これにより、踏み板２と蹴込み板４との接合部で隙き間や歪みのない寸法精度安定階段１を得ることが出来た。
【００５１】
（実施例２）
本例は、図９〜図１１に示すごとく、実施例１における側板１０に代えて側板１１としたものである。そして、この階段は、踏み板２のみが水平両方向に突出した踏み板突出部２１１を有する（図１０参照）。
また、凹部穴１１０は、図１１に示すごとく、踏み板２の嵌入用凹部穴１１１と、くさび６の嵌入用凹部穴１１２と、くさび後方止め７の嵌入用凹部穴１１３と、蹴込み板４の嵌入用凹部穴１１４を有するものである。これにより、本例の寸法精度安定階段１は、実施例１に比較して、更に簡便に組み立てることが出来る。なお、その他の構成は実施例１と同様とした。
【００５２】
（実施例３）
本例は、図１２に示すごとく、実施例２における側板１１の凹部穴１１０を扁平な略台形状のものにしたものである。その他の構成は、実施例１及び２と同様とした。
【００５３】
【発明の効果】
本発明は、請求項１〜請求項３に記載された技術的特徴事項（発明）により構成されている。そのため、次に示すような諸々の効果を奏する。
【００５４】
まず、請求項１に記載の発明によれば、踏み板２及び蹴込み板４が（ホ）と（ヘ）との略同一線上の面一の階段において寸法変化が少なく、寸法安定性に優れ、かつ反りやねじれが少なく、高強度で耐久性に優れた寸法精度安定階段１を得ることが出来る。
また、請求項２に記載の発明によれば、前記側板１０と踏み板２との接合部８において、寸法変化による側板１０の伸縮や隙き間や歪みを生じることがなく、遮音性や吸音性に優れた寸法精度安定階段１を得ることが出来る。
【００５５】
次に、請求項３に記載の発明によれば、現点では余り積極的にリサイクル利用されていない木造建築物の廃材を有効に利用し資源の循環利用を図ることが出来る。
また、併せて請求項１に記載の発明によれば、前記くさび６は、その後方において、くさび後方止め７により確実に固定されることになる。
そして、併せて請求項１に記載の発明によれば、前記くさび６および又はくさび後方止め７は、空気中の水分（湿分）を吸収することにより、その体積が膨張して踏み板やくさび６等を側板１０の凹部穴１００等に密着させると共に、強固に相互を固定することが出来る。
【００５６】
他の発明によれば、踏み板２の両端部２１０で、蹴込み板４よりも水平方向に突出した踏み板突出部２１１を有する階段において、寸法変化が少なく、寸法安定性に優れ、かつ反りやねじれが少なく高強度で耐久性に優れた寸法精度安定階段１を得ることが出来る。
以上、本発明によれば、側板１０、踏み板２、蹴込み板４が寸法安定木材により構成されているため、寸法変化や遮音性や吸音性に優れ、反りやねじれや接合部８の隙き間や歪みが発生しない寸法精度安定階段１を得ることが出来る。
【図面の簡単な説明】
【図１】本発明の実施例１に係る寸法精度安定階段の側板における凹部穴の拡大側面図である。
【図２】本発明の実施例１に係る寸法精度安定階段の踏み板と蹴込み板の面一階段の斜視図である。
【図３】本発明の実施例１に係る寸法精度安定階段の側板における凹部穴の一部側面図である。
【図４】実施例１において使用される集成材の接合状態を示す斜視図である。
【図５】実施例１で使用される集成材の木材繊維が多方向に配列された状態を示す斜視図である。
【図６】実施例１で使用される集成材を化粧部材により被覆した状態を示す斜視図である。
【図７】実施例１で使用される踏み板の裏面側の状態を示す断面図である。
【図８】実施例１で使用される踏み板の裏面側の施工手順を示す平面図である。
【図９】実施例２に係る寸法精度安定階段の側板における一部側面図である。
【図１０】実施例２に係る寸法精度安定階段の踏み板突出部を有する階段の斜視図である。
【図１１】実施例２に係る寸法精度安定階段の凹部穴のみの拡大側面図である。
【図１２】実施例３に係る寸法精度安定階段の凹部穴のみの拡大側面図である。
【図１３】従来の箱階段の一部斜視図である。
【図１４】従来の側桁階段の一部斜視図である。
【図１５】従来の階段における踊り場の各種態様を示す平面図である。
【図１６】従来の階段の踏み板の取付け状態を示す裏面側の斜視図である。
【図１７】従来の階段の踏み板の取付け状態を示す正面側の斜視図である。
【図１８】従来の集成材の破損状態を示す説明図である。
【図１９】従来の集成材を使用した階段の破損状態を示す説明図である。
【図２０】従来の階段における集成材を使用した踏み板の取付け状態を示す斜視図である。
【符号の説明】
１      寸法精度安定階段
１０    側板
１００、１１０、１２０  凹部穴
１０１  踏み板嵌入用凹部穴
１０２  蹴込み板嵌入用凹部穴
１０３  くさび嵌入用凹部穴
１０４  くさび後方止め嵌入用凹部穴
２      踏み板
３      力桁
４      蹴込み板
５      集成材
５１    木材繊維
５２    小木片積層接合材
６      くさび
７      くさび後方止め
【図１】
0003674702.tif 000002
【図２】
0003674702.tif 000003
【図３】
0003674702.tif 000004
【図４】
0003674702.tif 000005
【図５】
0003674702.tif 000006
【図６】
0003674702.tif 000007
【図７】
0003674702.tif 000008
【図８】
0003674702.tif 000009
【図９】
0003674702.tif 000010
【図１０】
0003674702.tif 000011
【図１１】
0003674702.tif 000012
【図１２】
0003674702.tif 000013
【図１３】
0003674702.tif 000014
【図１４】
0003674702.tif 000015
【図１５】
0003674702.tif 000016
【図１６】
0003674702.tif 000017
【図１７】
0003674702.tif 000018
【図１８】
0003674702.tif 000019
【図１９】
0003674702.tif 000020
【図２０】
0003674702.tif 000021